(57)【要約】【課題】設備コストや運転コストが低く、処理灰が系内に蓄積することもない実用性に優れた焼却灰の処理方法を提供する。【解決手段】汚泥焼却灰とアルカリ性反応液とを混合して汚泥焼却灰に含まれるリンを液中に抽出したうえ、処理灰とリン抽出液とに固液分離して処理灰を回収する。本発明では、この固液分離を重力沈降により行い、分離された処理灰に対して、加温水による水洗浄と、重力沈降による固液分離とを複数回繰り返した後、水と混合しながら混合物pHが４〜９、より好ましくは４〜６になるように酸を加えることによる酸添加洗浄と、脱水とを行うことにより清浄な処理灰を得る。加温またはpH調整により処理灰の沈降性が改善され、速やかな固液分離が可能である。【選択図】図１
2008229576.tif 000002
【特許請求の範囲】
【請求項１】
汚泥焼却灰とアルカリ性反応液とを混合して汚泥焼却灰に含まれるリンを液中に抽出したうえ、処理灰とリン抽出液とに固液分離して処理灰を回収する焼却灰の処理方法において、前記固液分離を重力沈降により行い、分離された処理灰に対して、水との混合による水洗浄と、重力沈降による固液分離とを複数回繰り返した後、水と混合しながら混合物pHが４〜９、より好ましくは４〜６になるように酸を加えることによる酸添加洗浄と、脱水とを行うことにより清浄な処理灰を得ることを特徴とする焼却灰の処理方法。
【請求項２】
汚泥焼却灰とアルカリ性反応液とを混合して汚泥焼却灰に含まれるリンを液中に抽出したうえ、処理灰とリン抽出液とに固液分離した後、処理灰に再度アルカリ性反応液を混合して、２回処理された処理灰と２回目のリン抽出液とに固液分離することを特徴とする請求項１記載の焼却灰の処理方法。
【請求項３】
少なくともリン抽出工程、固液分離工程、水洗浄工程の何れかの工程をバッチ操作により行うことを特徴とする請求項１または２記載の焼却灰の処理方法。
【請求項４】
重力沈降による固液分離手段を備えた同一の反応槽を用い、固体分は反応槽に残したまま液体分を入れ替えて行くことにより、バッチ操作することを特徴とする請求項３記載の焼却灰の処理方法。
【請求項５】
リン抽出を４０〜１００℃で行うことを特徴とする請求項１〜４のいずれかに記載の焼却灰の処理方法。
【請求項６】
水との混合による水洗浄を４０〜１００℃で行うことを特徴とする請求項１〜５のいずれかに記載の焼却灰の処理方法。
【請求項７】
水との混合による水洗浄をｐＨ４〜９で行うことを特徴とする請求項１〜５のいずれかに記載の焼却灰の処理方法。
【請求項８】
処理灰から分離されたリン抽出液にCa成分を加えてリン酸Caを析出させ、固液分離してリン酸Ca結晶を取り出すことを特徴とする請求項２〜７のいずれかに記載の焼却灰の処理方法。
【請求項９】
Ca成分としてCa(OH)2を使用することを特徴とする請求項８記載の焼却灰の処理方法。
【請求項１０】
リン抽出液に対しCa(OH)2を３．５８〜６．０９kg-Ca(OH)2／kg-Pの割合で添加することを特徴とする請求項９に記載の焼却灰の処理方法。
【発明の詳細な説明】
【技術分野】
【０００１】
本発明は、下水汚泥焼却灰からリンを抽出するとともに、有害成分の含有量の少ない清浄な処理灰を得ることができる焼却灰の処理方法に関するものである。
【背景技術】
【０００２】
下水処理場から大量に発生する下水汚泥は主として焼却処理され、それに伴って発生する下水汚泥焼却灰は埋立処分されてきた。しかし埋立処分場を確保することが次第に困難になりつつあるため、下水汚泥焼却灰を例えばアスファルトフィラーのような道路舗装材や下層路盤材等として有効利用する試みがなされている。この場合、下水汚泥焼却灰に微量に含まれるAs、Se等の有害成分が土壌環境基準を越えると使用困難となる。
【０００３】
また下水汚泥焼却灰には多量のリンが含有されているため、これを抽出して回収することにより、世界的に枯渇が危惧されているリン資源として活用することが検討されている。
【０００４】
上記した２つの要求に応えるために、特許文献１に示されるように、汚泥焼却灰とアルカリ性反応液とを混合して汚泥焼却灰に含まれるリンを液中に抽出したうえ、処理灰とリン抽出液とに固液分離して処理灰を回収する方法が提案されている。この方法によれば、アルカリ性反応液により汚泥焼却灰中からAs、Se等の有害成分を除去できると同時に、リン抽出液中のリンをリン酸Caとして回収することができる。
【０００５】
ところがこの従来法では、多数回の固液分離を脱水機を用いて行っているため、実設備に適用するためには非常に多数の脱水機が必要となり、設備コストが高くなるうえ、運転コストやメンテナンスコストも高くなるという問題があった。なお、固液分離を重力沈降で行うことも考えられるが、処理灰は沈降性が悪いために沈降に長時間を要し、沈降時間が不十分であるとリン抽出液や洗浄水側に多くの処理灰が残存するため、これらを循環使用すると処理灰が系内に蓄積して行くという問題があり、実用化には多くの問題点が残されていた。
【特許文献１】特開２００４−２０３６４１号公報
【発明の開示】
【発明が解決しようとする課題】
【０００６】
本発明は上記した従来の問題点を解決し、下水汚泥焼却灰からアルカリ性反応液によりリンを抽出するとともに、有害成分の含有量の少ない清浄な処理灰を得ることができ、設備コストや運転コストが低く、重力沈降による固液分離に長時間を要しない実用性に優れた焼却灰の処理方法を提供することを目的としてなされたものである。
【課題を解決するための手段】
【０００７】
上記の課題を解決するためになされた本発明は、汚泥焼却灰とアルカリ性反応液とを混合して汚泥焼却灰に含まれるリンを液中に抽出したうえ、処理灰とリン抽出液とに固液分離して処理灰を回収する焼却灰の処理方法において、前記固液分離を重力沈降により行い、分離された処理灰に対して、水との混合による水洗浄と、重力沈降による固液分離とを複数回繰り返した後、水と混合しながら混合物pHが４〜９、より好ましくは４〜６になるように酸を加えることによる酸添加洗浄と、脱水とを行うことにより清浄な処理灰を得ることを特徴とするものである。
【０００８】
本発明においては、汚泥焼却灰とアルカリ性反応液とを混合して汚泥焼却灰に含まれるリンを液中に抽出したうえ、処理灰とリン抽出液とに固液分離した後、処理灰に再度アルカリ性反応液を混合して、２回処理された処理灰と２回目のリン抽出液とに固液分離することができる。また本発明においては、少なくともリン抽出工程、固液分離工程、水洗浄工程の何れかの工程をバッチ操作により行うことが好ましく、重力沈降による固液分離手段を備えた同一の反応槽を用い、固体分は反応槽に残したまま液体分を入れ替えて行くことにより、バッチ操作することが好ましい。
【０００９】
また本発明においては沈降速度を向上させるため、リン抽出を４０〜１００℃で行うこと、水との混合による水洗浄を４０〜１００℃で行うことが好ましい。また水との混合による水洗浄をｐＨ４〜９で行うことが好ましい。そして処理灰から分離されたリン抽出液にCa成分を加えてリン酸Caを析出させ、固液分離してリン酸Ca結晶を取り出すことができる。Ca成分としてCa(OH)2を使用することができ、その場合にはリン抽出液に対しCa(OH)2を３．５８〜６．０９kg-Ca(OH)2／kg-Pの割合で添加することが好ましい。
【発明の効果】
【００１０】
本発明によれば、処理灰とリン抽出液との固液分離を重力沈降により行うので、多数の脱水機を用いる必要がなく、設備コストや運転コストを引き下げることができる。また分離された処理灰に対して、水との混合による水洗浄と、重力沈降による固液分離とを複数回繰り返した後、水と混合しながら混合物pHが４〜９、より好ましくは４〜６になるように酸を加えることによる酸添加洗浄と、脱水とを行うことにより沈降性が改善され、有害成分の含有率の低い清浄な処理灰を短時間で得ることができる。得られた清浄な処理灰は、アスファルトフィラーや下層路盤材等として使用することができる。また液側に残留する処理灰は微量であるので、処理灰が系内に蓄積することもなく、実用性に優れる。なお請求項２のように処理灰に再度アルカリ性反応液を混合して２回目のリン抽出を行うようにすれば、より完全なリン抽出が可能となる。
【００１１】
また請求項３、４のように同一の反応槽を用い固体分は反応槽に残したままバッチ操作する方法を採用すれば、装置を簡略化することができるので、設備コストや運転コストを大幅に引き下げることができる。また請求項５のように、リンの抽出を４０〜１００℃で行うことによりリン抽出効率を高めることができ、請求項６、７のように水との混合による水洗浄を４０〜１００℃またはｐＨ ４〜９で行うことにより、処理灰の沈降性を向上させることができる。また請求項８のように処理灰から分離されたリン抽出液からリン酸Ca結晶を取り出すようにすれば、リン資源の回収も併せて行うことができる効果がある。
【発明を実施するための最良の形態】
【００１２】
以下に本発明の好ましい実施形態を示す。
図１は実施形態のフローを示すブロック図、図２はバッチ操作を行うための装置構成図である。図２の装置は単一の反応槽１と、その下部に形成された重力沈降部２と、反応槽１の内部から液体を吸引するポンプ３とからなる。また反応槽１には攪拌手段５と、排出弁６を設置しておく。
【００１３】
先ず下水汚泥焼却灰とアルカリ性反応液とが反応槽１の内部に投入され、攪拌・混合される。アルカリ性反応液としてはNaOHを用いることができる。後記するように、このアルカリ性反応液は再生して循環使用することができる。下水汚泥焼却灰中には多量のリンのほか、As、Se等の有害成分が含有されているが、これらの成分はアルカリ性反応液との接触により液側に抽出される。この抽出を十分に行わせるためには、反応液１L当りの下水汚泥焼却灰量を０．０５〜０.２kg程度とすることが好ましい。またリン抽出を、４０〜１００℃で行うことが好ましい。これによってリン抽出効率を高めることができるとともに、処理灰の沈降性を高めることができるからである。
【００１４】
次に重力沈降部２による固液分離を行い、固体分である処理灰と、液体分であるリン抽出液とに分離する。なお、本実施形態ではこのリン抽出工程は複数回行われ、固液分離され反応槽１内に残留した処理灰に再度アルカリ性反応液を混合して、２回処理された処理灰と２回目のリン抽出液とに固液分離する。
【００１５】
次に、処理灰に付着しているアルカリ性反応液やAs、Se等の有害成分を完全に除去するための処理灰の水洗浄を行う。水との混合による水洗浄は４０〜１００℃で行うことが好ましく、この加温によって沈降性を改善することができる。図３は水洗浄を常温（２４℃）で行った場合と、４９℃、７０℃の加温水を用いて行った場合との沈降距離を示すグラフである。また図４は沈降速度を示すグラフである。初期沈降速度、到達沈降距離、濃縮スラリー濃度は表１に示すとおり顕著に改善されている。なおこれらのデータは５５Ｌの沈降槽を用いて測定した。
【００１６】
【表１】
2008229576.tif 000003
【００１７】
本発明では、上記の水洗浄と重力沈降による固液分離とを複数回繰り返した後、水と混合しながら混合物pHが４〜９、より好ましくは４〜６になるように酸を加えることによる酸添加洗浄を行う。使用する酸は取り扱いの容易な硫酸が好ましいが、塩酸、硝酸、酢酸等を使用することも可能である。この酸添加洗浄により、処理灰に付着しているアルカリ性反応液やAs、Se等の有害成分を完全に除去することが可能となる。
【００１８】
このような洗浄水は反応槽１の内部に投入され、攪拌・混合された後に重力沈降部２による固液分離を行う。加温またはpH調整により固液分離は短時間で進行し、処理灰がほとんど残留しない洗浄排水と処理灰の沈殿層とに分離できる。この沈殿層は含水率が７０％程度にまで濃縮されている。なお、温度またはpHが上記範囲を外れると沈降性が悪化し、重力沈降に長時間を要するようになって実用性が低下する。上澄水である洗浄排水はポンプ３または自然流下により抜き取られる。
【００１９】
この洗浄水を用いた水洗工程は複数回繰り返すものとし、十分に洗浄された処理灰は排出弁６を開いて反応槽１から取り出して最後に乾燥され、As、Se等の有害成分をほとんど含有しない清浄な処理灰を得ることができる。なお、最終段階の固液分離には脱水機を使用することができる。この清浄な処理灰は土壌環境基準をクリアするため、前記したようにアスファルトフィラーや下層路盤材等として使用することができる。以上の操作は、全て単一の反応槽１内でバッチ的に行うことができる。なお、抜き取られた洗浄排水は循環使用できるが、有害成分の濃度が次第に上昇するため、図１に示すように系外に抜き出し、焼却炉の排ガス処理用のスクラバ水等に利用することが好ましい。
【００２０】
一方、リン抽出工程から分離された１回目及び２回目のリン抽出液には、Ca成分を加えてリン酸Caを析出させる。Ca成分としてはCa(OH)2を用いることができ、その添加量は３．５８〜６．０９kg-Ca(OH)2／kg-P（反応等量の1.0〜1.7倍）が好ましい。その後、固液分離してリン酸Ca結晶を取り出す。この固液分離は処理灰の固液分離と同様に重力沈降を用いることができ、リン酸Ca結晶は処理灰よりも沈降性がよい。その後、水洗浄を必要回数行って付着している有害成分を取り除き、乾燥させてリン酸Ca結晶を得る。このリン酸Caは例えばリン酸肥料の原料として有効利用することができる。
【００２１】
なお、リン酸Caを析出させた後の液は再生液として最初のリン抽出工程に返送され、アルカリ性反応液として循環使用することができる。
【００２２】
以上に説明したように、本発明によれば下水汚泥焼却灰からリンを抽出するとともに、有害成分の含有量の少ない清浄な処理灰を得ることができるが、多数の脱水機を必要としないので、設備コストや運転コストが低く、また処理灰の沈降性を改善したことにより、処理灰をほとんど含まない上澄液と含水率が７０％程度にまで濃縮された処理灰の沈殿層とに固液分離できるので、灰が系内に蓄積することもない。このため、実用性に優れた処理灰の処理方法を提供することができる。
【図面の簡単な説明】
【００２３】
【図１】本発明の実施形態のフローを示すブロック図である。
【図２】バッチ操作を行うための装置構成図である。
【図３】水洗浄を常温で行った場合と、加温水を用いて行った場合との沈降距離を示すグラフである。
【図４】水洗浄を常温で行った場合と、加温水を用いて行った場合との沈降速度を示すグラフである。
【符号の説明】
【００２４】
１  反応槽
２  重力沈降部
３  ポンプ
５  攪拌手段
６  排出弁
【図１】
2008229576.tif 000004
【図２】
2008229576.tif 000005
【図３】
2008229576.tif 000006
【図４】
2008229576.tif 000007